【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
光源と、
前記光源からの光が透過する第１の複数のレンズセルを含む第１のアレイレンズと、
前記第１の複数のレンズセルからの光が透過する第２の複数のレンズセルを含む第２のアレイレンズと、
前記第２の複数のレンズセルを透過した光束を集光する集光レンズと、
前記集光レンズが集光した光を変調するライトバルブと、
前記ライトバルブが変調した光を投射する投射レンズと、
前記光源から前記ライトバルブまでの光学系に配置され、複数の遮光板とを有する遮光ユニットとを備え、
前記第１の複数のレンズセルは、２方向に配列された複数のレンズセルを含み、前記光源から前記ライトバルブまでの光学系の光軸に接する１つまたは複数のレンズセルと、前記光軸に接する１つまたは複数のレンズセルに対して前記２方向のうちの１方向に隣接する複数の隣接セルを含み、
前記遮光ユニットによる遮光状態には、前記複数の遮光板により形成する遮光領域の遮光面積について、前記複数の隣接セルのうちの少なくとも１つのレンズセルの遮光面積を、前記光軸に接する１つまたは複数のレンズセルのいずれのレンズセルの遮光面積よりも小さくする遮光状態が含まれることを特徴とする投射型映像表示装置。
【請求項２】
請求項１に記載の投射型映像表示装置であって、
前記遮光ユニットによる遮光状態において、前記複数の遮光板により形成する遮光領域の遮光面積について、前記複数の隣接セルのうちの少なくとも１つのレンズセルの遮光面積が、前記第１の複数のレンズセルのうち前記複数の隣接セル以外のいずれのレンズセルの遮光面積よりも小さいことを特徴とする投射型映像表示装置。
【請求項３】
請求項１または請求項２のいずれか一項に記載の投射型映像表示装置であって、
前記遮光ユニットによる遮光状態において、前記第１の複数のレンズセルのいずれのセルについても完全にまたは部分的に遮光することを特徴とする投射型映像表示装置。
【請求項４】
請求項１から請求項３のいずれか一項に記載の投射型映像表示装置であって、
前記複数の遮光板は第１の遮光板と第２の遮光板を含み、前記第１の遮光板と前記第２の遮光板は回動または移動することを特徴とする投射型映像表示装置。
【請求項５】
請求項１から請求項４のいずれか一項に記載の投射型映像表示装置であって、
前記遮光ユニットによる遮光状態において、前記光源から射出し前記ライトバルブに到達する光の８０％以上を遮光することを特徴とする投射型映像表示装置。
【請求項６】
請求項１から請求項５のいずれか一項に記載の投射型映像表示装置であって、
前記投射型映像表示装置に入力された映像信号に応じて、前記遮光ユニットによる遮光量を調整するための演算を行う演算部と備えることを特徴とする投射型映像表示装置。
【請求項７】
請求項４に記載の投射型映像表示装置であって、
前記第１の遮光板と前記第２の遮光板を回動または移動するための駆動部を備え、
前記駆動部は、前記投射型映像表示装置に入力された映像信号に応じて制御されることを特徴とする投射型映像表示装置。
【請求項８】
請求項１から請求項７のいずれか一項に記載の投射型映像表示装置であって、
前記２方向に配列された複数のレンズセルは、該２方向にそれぞれ偶数個のレンズセルが配置されており、
前記光軸に接する複数のレンズセルは光軸に接する４つのレンズセルであり、
前記複数の隣接セルは前記光軸に接する４つのレンズセルに前記２方向のうちの１方向に隣接する４つのレンズセルであることを特徴とする投射型映像表示装置。
【請求項９】
請求項１から請求項７のいずれか一項に記載の投射型映像表示装置であって、
前記２方向に配列された複数のレンズセルは、該２方向の１方向に偶数個のレンズセルが配置され、他の１方向に奇数個のレンズセルが配置されており、
前記光軸に接する複数のレンズセルは光軸に接する２つのレンズセルであり、
前記複数の隣接セルは前記光軸に接する２つのレンズセルに前記２方向のうちの１方向に隣接する２つまたは４つのレンズセルであることを特徴とする投射型映像表示装置。
【請求項１０】
請求項１から請求項７のいずれか一項に記載の投射型映像表示装置であって、
前記２方向に配列された複数のレンズセルは、該２方向にそれぞれ奇数個のレンズセルが配置されており、
光軸に接するレンズセルは１つのレンズセルであり、
前記複数の隣接セルは該光軸に接する１つのレンズセルに前記２方向のうちの１方向に隣接する２つのレンズセルであることを特徴とする投射型映像表示装置。
【請求項１１】
光源と、
前記光源からの光が透過する２つのアレイレンズと、
前記２つのアレイレインズを透過した光束が透過するレンズ群と、
前記レンズ群を透過した光を変調するライトバルブと、
前記ライトバルブが変調した光を投射する投射レンズと、
前記光源から前記ライトバルブまでの光学系に配置される遮光ユニットとを備え、
前記２つのアレイレンズの少なくとも一方のアレイレンズは、前記光源から前記ライトバルブまでの光学系の光軸に接する１つまたは複数のレンズセルを含む２方向に配列された複数のレンズセルを含み、
前記遮光ユニットによる遮光状態には、前記光軸に接する１つまたは複数のレンズセルに対して前記２方向のうちの１方向に隣接する複数の隣接レンズセルのうち少なくとも１つのレンズセルの遮光面積を、前記光軸に接する１つまたは複数のレンズセルの遮光面積よりも小さくする遮光状態が含まれることを特徴とする投射型映像表示装置。
【請求項１２】
請求項１１に記載の投射型映像表示装置であって、
前記遮光ユニットによる遮光状態において、前記複数の隣接セルのうちの少なくとも１つのレンズセルの遮光面積が、前記２方向に配列された複数のレンズセルのうちの前記複数の隣接セル以外のいずれのレンズセルの遮光面積よりも小さいことを特徴とする投射型映像表示装置。
【請求項１３】
請求項１１または請求項１２のいずれか一項に記載の投射型映像表示装置であって、
前記遮光ユニットによる遮光状態において、前記２方向に配列された複数のレンズセルのいずれのセルについても完全にまたは部分的に遮光することを特徴とする投射型映像表示装置。
【請求項１４】
請求項１１から請求項１３のいずれか一項に記載の投射型映像表示装置であって、
前記遮光ユニットは、回動または移動する複数の遮光板を有することを特徴とする投射型映像表示装置。
【請求項１５】
請求項１１から請求項１４のいずれか一項に記載の投射型映像表示装置であって、
前記遮光ユニットによる遮光状態において、前記光源から射出し前記ライトバルブに到達する光の８０％以上を遮光することを特徴とする投射型映像表示装置。
【請求項１６】
請求項１１から請求項１５のいずれか一項に記載の投射型映像表示装置であって、
前記投射型映像表示装置に入力された映像信号に応じて、前記遮光ユニットによる遮光量を調整する制御を行うことを特徴とする投射型映像表示装置。
【請求項１７】
請求項１４に記載の投射型映像表示装置であって、
前記複数の遮光板を回動または移動するための駆動部を備え、
前記駆動部は、前記投射型映像表示装置に入力された映像信号に応じて制御されることを特徴とする投射型映像表示装置。
【請求項１８】
請求項１１から請求項１７のいずれか一項に記載の投射型映像表示装置であって、
前記２方向に配列された複数のレンズセルは、該２方向にそれぞれ偶数個のレンズセルが配置されており、
前記光軸に接する複数のレンズセルは光軸に接する４つのレンズセルであり、
前記複数の隣接セルは前記光軸に接する４つのレンズセルに前記２方向のうちの１方向に隣接する４つのレンズセルであることを特徴とする投射型映像表示装置。
【請求項１９】
請求項１１から請求項１７のいずれか一項に記載の投射型映像表示装置であって、
前記２方向に配列された複数のレンズセルは、該２方向の１方向に偶数個のレンズセルが配置され、他の１方向に奇数個のレンズセルが配置されており、
前記光軸に接する複数のレンズセルは光軸に接する２つのレンズセルであり、
前記複数の隣接セルは前記光軸に接する２つのレンズセルに前記２方向のうちの１方向に隣接する２つまたは４つのレンズセルであることを特徴とする投射型映像表示装置。
【請求項２０】
請求項１１から請求項１７のいずれか一項に記載の投射型映像表示装置であって、
前記２方向に配列された複数のレンズセルは、該２方向にそれぞれ奇数個のレンズセルが配置されており、
前記光軸に接するレンズセルは１つのレンズセルであり、
前記複数の隣接セルは該光軸に接する１つのレンズセルに前記２方向のうちの１方向に隣接する２つのレンズセルであることを特徴とする投射型映像表示装置。
【請求項２１】
光源と、
前記光源からの光が透過する第１の複数のレンズセルを含む第１のアレイレンズと、
前記第１の複数のレンズセルからの光が透過する第２の複数のレンズセルを含む第２のアレイレンズと、
前記第２のアレイレンズを透過した光束を透過するレンズ群と、
前記レンズ群を透過した光を変調するライトバルブと、
前記ライトバルブが変調した光を投射する投射レンズと、
前記第１の複数のレンズセルまたは第２の複数のレンズセルに対して入射または出射する光を遮光する遮光ユニットとを備え、
前記第１の複数のレンズセルまたは第２の複数のレンズセルは、偶数個または奇数個のレンズセルが互いに直交する２方向に配置された複数のレンズセルを含み、
前記遮光ユニットによる遮光状態には、前記偶数個または奇数個のレンズセルが互いに直交する２方向に配置された複数のレンズセルの中心に配置される１つまたは複数の中心レンズセルに対して前記２方向のうちの１方向に隣接する複数の隣接レンズセルのそれぞれのレンズセルの遮光面積を、前記中心レンズセルの遮光面積よりも小さくする遮光状態が含まれることを特徴とする投射型映像表示装置。
【請求項２２】
請求項２１に記載の投射型映像表示装置であって、
前記遮光ユニットによる遮光状態において、前記複数の隣接セルのうちの少なくとも１つのレンズセルの遮光面積が、前記偶数個または奇数個のレンズセルが互いに直交する２方向に配置された複数のレンズセルのうちの前記複数の隣接セル以外のいずれのレンズセルの遮光面積よりも小さいことを特徴とする投射型映像表示装置。
【請求項２３】
請求項２１または請求項２２のいずれか一項に記載の投射型映像表示装置であって、
前記遮光ユニットによる遮光状態において、前記偶数個または奇数個のレンズセルが互いに直交する２方向に配置された複数のレンズセルのいずれのセルについても完全にまたは部分的に遮光することを特徴とする投射型映像表示装置。
【請求項２４】
請求項２１から請求項２３のいずれか一項に記載の投射型映像表示装置であって、
前記遮光ユニットは、回動または移動する複数の遮光板を有することを特徴とする投射型映像表示装置。
【請求項２５】
請求項２１から請求項２４のいずれか一項に記載の投射型映像表示装置であって、
前記遮光ユニットによる遮光状態において、前記光源から射出し前記ライトバルブに到達する光の８０％以上を遮光することを特徴とする投射型映像表示装置。
【請求項２６】
請求項２１から請求項２５のいずれか一項に記載の投射型映像表示装置であって、
前記投射型映像表示装置に入力された映像信号に応じて、前記遮光ユニットによる遮光量を調整する制御を行うことを特徴とする投射型映像表示装置。
【請求項２７】
請求項２４に記載の投射型映像表示装置であって、
前記複数の遮光板を回動または移動するための駆動部を備え、
前記駆動部は、前記投射型映像表示装置に入力された映像信号に応じて制御されることを特徴とする投射型映像表示装置。
【請求項２８】
光源からの光について、２つのアレイレンズを透過させ、ライトバルブで変調し、投射レンズから射出する投射型映像表示装置における遮光ユニットによる光の遮光方法であって、
前記２つのアレイレンズの少なくとも一方のアレイレンズは、前記光源から前記ライトバルブまでの光学系の光軸に接する１つまたは複数のレンズセルを含む２方向に配列された複数のレンズセルを含み、
前記遮光ユニットは、複数の遮光板を回動または移動して、前記２方向に配列された複数のレンズセルに対し入射または出射する光を遮光し、
前記遮光ユニットによる遮光状態には、前記光軸に接する１つまたは複数のレンズセルに対して前記２方向のうちの１方向に隣接する複数の隣接レンズセルのうち少なくとも１つのレンズセルの遮光面積を、前記光軸に接する１つまたは複数のレンズセルのいずれのレンズセルの遮光面積よりも小さくする遮光状態が含まれることを特徴とする遮光方法。
【請求項２９】
請求項２８に記載の遮光方法であって、
前記遮光ユニットによる遮光状態において、前記複数の隣接セルのうちの少なくとも１つのレンズセルの遮光面積が、前記２方向に配列された複数のレンズセルのうちの前記複数の隣接セル以外のいずれのレンズセルの遮光面積よりも小さいことを特徴とする遮光方法。
【請求項３０】
請求項２８または請求項２９のいずれか一項に記載の遮光方法であって、
前記遮光ユニットによる遮光状態において、前記２方向に配列された複数のレンズセルのいずれのセルについても完全にまたは部分的に遮光することを特徴とする遮光方法。
【請求項３１】
請求項２８から請求項３０のいずれか一項に記載の遮光方法であって、
前記遮光ユニットによる遮光状態において、前記光源から射出し前記ライトバルブに到達する光の８０％以上を遮光することを特徴とする遮光方法。
【請求項３２】
請求項２８から請求項３１のいずれか一項に記載の遮光方法であって、
前記投射型映像表示装置に入力された映像信号に応じて前記複数の遮光板の回動または移動を制御することを特徴とする遮光方法。
【手続補正２】
【補正対象書類名】明細書
【補正対象項目名】発明の名称
【補正方法】変更
【補正の内容】
【発明の名称】投射型映像表示装置および遮光方法
【手続補正３】
【補正対象書類名】明細書
【補正対象項目名】００１０
【補正方法】変更
【補正の内容】
【００１０】
上記目的を達成するためには、例えば特許請求の範囲に記載されるように構成すればよい。